(57)【要約】【課題】槽体内への外部からの液体流入を抑制する。【解決手段】槽体１の側壁１１に、槽体１の開口部面積と少なくとも同等以上の平面積とする屋根体Ａ１と、槽体１に載置された発電機Ｂ周りに生じる槽体１の開口部１２を開閉可能に塞ぐ蓋体２を備える。【選択図】図１
0003096858.tif 000002
【実用新案登録請求の範囲】
【請求項１】
各種機器またはタンクを載置して、これらから漏液する液体の流出を防止する防液槽であって、
容器状に形成された槽体の上方に、槽体の開口部全面を覆う屋根体を備えていることを特徴とする防液槽。
【請求項２】
屋根体が高さ調節可能であることを特徴とする請求項１に記載の防液槽。
【請求項３】
屋根体が着脱可能であることを特徴とする請求項１または請求項２に記載の防液槽。
【請求項４】
槽体に載置された各種機器またはタンク周りに生じる槽体の開口部を開閉可能に塞ぐ蓋体を一体的に備え、
蓋体は、槽体の各辺に対応する枚数を備えて、槽体に対して内外方向回動可能に軸支され、閉状態において各蓋体の先端が機器またはタンクの側面に接触し、隣り合う蓋体相互の側端縁部が互いに接触して、開口部を塞ぐことによって外部から水分流入を抑制するようにしていることを特徴とする請求項１ないし請求項３いずれか１項に記載の防液槽。
【請求項５】
各蓋体は、閉状態において外方向に下向き傾斜であることを特徴とする請求項４に記載の防液槽。
【請求項６】
各蓋体における各端縁部にパッキングを装着していることを特徴とする請求項４または請求項５に記載の防液槽。
【請求項７】
各蓋体の少なくとも一枚が透明材からなることを特徴とする請求項４ないし請求項６いずれか１項に記載の防液槽。
【考案の詳細な説明】
【０００１】
【考案の属する技術分野】
本考案は、発電機または油や薬液等のタンクから漏液する液体の流出を防止するための防液槽に関する。
【０００２】
【従来の技術】
従来、発電機または油や薬液等のタンクから漏液する液体の流出を防止するために用いられるものとしては、例えば、これらを載置して漏液する液体を受ける槽体状のものである。（例えば、特許文献１および特許文献２参照）
【０００３】
【特許文献１】
実開平７−４０５８８号（〔００１２〕、図１）
【特許文献２】
実開平７−３１６９２号（〔０００８〕、図１）
【０００４】
【考案が解決しようとする課題】
しかしながら、特許文献１および特許文献２に記載の槽体状のものでは、雨や雪がそのまま槽体内に流入して、槽体内に漏液した液体とともにあふれ出てしまう可能性が有る。
特許文献２に記載のものは、ドレンを設けて槽体内に貯まった液体を抜くようにしているが、仮に、雨が降り続く状況においては、常時槽体内の液体の貯溜量を確認する必要が有るので管理が面倒である。
【０００５】
そこで本発明は、槽体内への外部からの液体流入を抑制することを課題とし、その課題を解決する防液槽の提供を目的とする。
【０００６】
【課題を解決するための手段】
上記目的を達成するために本考案は下記の技術的手段を採用した。
その技術的手段は、図１および図２に示すように、各種機器またはタンクを載置して、これらから漏液する液体の流出を防止する防液槽であって、容器状に形成された槽体１の上方に、槽体１の開口部面積と少なくとも同等以上の平面積とする屋根体Ａ１を備える（請求項１）。
【０００７】
本考案によれば、槽体１の開口部１２を屋根体Ａ１が覆うことによって、槽体１内への雨や雪の流入を抑制することができる。
したがって、仮に雨が降り続く状況においても、槽体１内に漏液した液体を、槽体１外に流出させてしまうことを防止することができる。
【０００８】
【考案の実施の形態】
本考案でいう液体は、流出した場合に環境に悪影響を与える液体であり、例えば液化燃料や薬液等である。
各種機器およびタンクとは、前記液体によって作動する機器（例えば発電機）や前記液体を内蔵するタンクである。
各種機器およびタンクは、機種やタンク容量によって高さが異なるものがあるため、屋根体を高さ調節可能とする（請求項２）ことが好ましく、また、防液槽の運搬時や降雨・降雪の心配が無い場合においては屋根体が不要であるので、屋根体を着脱可能とする（請求項３）ことが好ましい。
【０００９】
さらに好適な構造としては、容器状に形成された槽体１の側壁１１に、槽体１に載置された各種機器またはタンク周りに生じる槽体１の開口部１２を開閉可能に塞ぐ蓋体２を一体的に備え、蓋体２は、槽体１の各辺に対応する枚数を備えて、槽体１に対して内外方向回動可能に軸支され、閉状態において各蓋体２の先端縁部２１が各種機器またはタンクの側面に接触し、隣り合う蓋体１相互の側端縁部２２が互いに接触して、開口部１２を塞ぐことによって外部から水分流入を抑制するようにした（請求項４）ことである。
【００１０】
本考案によれば、図１および図２に示すように、槽体１内に各種機器またはタンクを載置した状態で蓋体２を閉じることによって、槽体１の開口部１２が塞がれて、槽体１内への雨や雪の流入を抑制することができる。
したがって、仮に雨が降り続く状況においても、槽体１内に漏液した液体を、槽体１外に流出させてしまうことを防止することができる。
【００１１】
蓋体の閉状態の形態は、外部からの水分の槽体内への流入を抑制可能な形態であればよいが、好適には、図１および図２に示すように、蓋体２を閉状態において外方向に下向き傾斜とし（請求項５）、雨や雪を滑り落とすようにすることによって、蓋体表面の水分が速やかに蓋体外に流れ落ちるので、残留水分の槽体内への流入を抑制することができる。
外部からの水分流入抑制機能の向上には、図１ないし図４に示すように、各蓋体２における各縁部２１，２２にパッキング３を装着する（請求項６）ことが好適であり、このパッキング３によって、蓋体２相互の水密性や蓋体２と各種機器またはタンクとの水密性が向上し、水分流入の抑制機能性がさらに優れたものとなる。
【００１２】
槽体１には徐々に各種機器またはタンクからの液体が溜まるため、槽体内の液体量を確認する必要が有る。
また、各種機器を載置したときには、液体量の確認に加えて作動中においては計器類の確認も行う必要が有る。
この場合、各蓋体の少なくとも一枚を透明材からなる（請求項７）ものとすることにより、蓋体を開けなくても槽体内を視覚することができる。
透明材からなる蓋体の枚数および配設位置は任意であるが、槽体に各種機器を載置する場合には、少なくとも計器類を視覚できる枚数および位置である。
【００１３】
【実施例】
以下、本考案の実施例を図面に基づいて説明する。
なお、本実施例では、各種機器のうち液化燃料で作動する発電機を載置するタイプの防液槽を例示する。
本実施例の防液槽Ａは、発電機Ｂを載置する槽体１と、槽体１の平面外形よりも大きな平面相似形とする屋根体Ａ１と、槽体１に載置された発電機Ｂの周りに生じる槽体１の開口部１２を開閉可能に塞ぐ蓋体２とからなる。
【００１４】
槽体１は、平面視において発電機Ｂの平面形状と相似形であり、発電機Ｂを中央部に載置したときに生じる発電機Ｂ周りの開口部１２の幅が、四辺共に同幅になるようにしてある。
槽体１の側壁１１のコーナーには、屋根体Ａ１を着脱可能に支持する支持杆１１Ａがそれぞれ固定されており、この支持杆１１Ａに後記する屋根体Ａ１の支柱Ａ２を嵌合支持してある。
槽体１の側壁１１の上端部には外側へ突出する周縁部１３が一体形成されており、この周縁部１３の表面に蓋体２を軸支してある。
また、周縁部１３の長辺側には、防液槽Ａを運搬する際にワイヤー等の吊り下げ具を引っ掛ける掛止孔１４を形成してある。
掛止孔１４は、周縁部１３に切欠き１４１を設け、その切欠き１４１の開口端部に掛止杆１４２を架け渡すように固着して構成してある。
符号１５は、槽体１内の液体を放出するための開閉バルブである。
【００１５】
屋根体Ａ１は、軽量な金属材または合成樹脂材を用いて、図示するように槽体１の短手方向に湾曲してなる形態のものであり、前記した支柱Ａ２上に着脱可能に支持されている。
屋根体Ａ１の支持構造は、屋根体Ａ１の裏面に固着された支持杆Ａ２１に支柱Ａ２を挿し込んで、支持杆Ａ２１の周面にネジＡ２２を貫通ねじ込みすることによって支柱Ａ２に固定し、ネジＡ２２を緩めることによって屋根体Ａ１を支柱Ａ２から取り外すようにしてある。
【００１６】
支柱Ａ２は、上下２本のパイプＰ１，Ｐ２を上下スライド可能に嵌合し、外側のパイプＰ１の周面から貫通ねじ込みされたネジＡ２３を締めたり緩めたりすることで、内側のパイプＰ２の固定・スライドを行って屋根体Ａ１の高さを調節するようにしてある。
また、支柱Ａ２の槽体１に対する支持構造は、前記支持杆１１Ａに嵌合し、支持杆１１Ａの周面にネジＡ２４を貫通ねじ込みすることによって支柱Ａ２を支持杆１１Ａに固定し、ネジＡ２４を緩めることによって支柱Ａ２を支持杆１１Ａから取り外すようにしてある。
【００１７】
蓋体２は、槽体１の四辺夫々に、前記周縁部１３に対してヒンジ４を介して内外方向に回動可能に設けられている。
蓋体２の形状は、閉状態において、蓋体２の先端縁部２１が発電機Ｂの側面Ｂ１に接触するとともに、各蓋体２の隣り合う側端縁部２２相互が接触し、さらに、外側へ向かって下向き傾斜するような大きさを有する略台形状である。
蓋体２の先端縁部２１と左右の側端縁部２２には、パッキング３が装着されており、このパッキング３が、発電機Ｂの側面Ｂ１に対する先端縁部２１の接触および各蓋体２の隣り合う側端縁部２２相互の接触における密着性を高めている。
パッキング３は、ゴム材や軟質の合成樹脂材からなるもので、蓋体２の先端縁部２１と左右の側端縁部２２に対応する長さとし、その周面の長手方向に沿って、先端縁部２１および側端縁部２２に嵌合される溝３１が形成されている。
このような蓋体２とすることによって、蓋体２が前記開口部１２の全域を塞ぐとともに、その前記傾斜によって蓋体２表面の水分を速やかに流し落とすので、外部からの槽体１への水分の流入を大きく抑制することができる。
【００１８】
４枚の蓋体２の内、その一枚が透明材を用いて形成されたものである。
なお、以下では透明の蓋体に符号２’を付けて説明する。
透明の蓋体２’は、発電機Ｂにおける計器Ｂ２装着側に設けられており、この蓋体２’から、当該蓋体２’を開くことなく計器Ｂ２および槽体１内に溜まる液化燃料を透視できるようにしている。
【００１９】
蓋体２，２’の開閉については、槽体１に発電機Ｂを載置した場合における閉状態は前記したとおりであり、蓋体２，２’を外側に回動することで全開状態となる。
この全開状態において、発電機Ｂの載置および取り出しが行われる。
また、発電機Ｂが載置されない状態の防液槽Ａにおける閉状態は、図４に示すように、内側への回動によって、蓋体２，２’が前記周縁部１３と略平行状に重合し、それ以上の回動が規制された状態で折り畳まれる。
すべての蓋体２，２’は、前記のように折り畳まれた状態で、隣り合う蓋体２，２’相互が前記周縁部１３と略平行状態で重合している。
この発電機Ｂが載置されない状態の防液槽Ａにおける閉状態は、防液槽Ａの運搬や収納時に用いられる状態である。
符号２３は、発電機Ｂが載置されない状態の防液槽Ａにおける閉状態において、前記掛止孔１４を露出させるための切欠き部であり、蓋体２の後端縁部に、掛止孔１４と対向する部位に設けられている。
【００２０】
なお、本考案は例示した実施例に限定されるものではなく、実用新案登録請求の範囲された内容から逸脱しない範囲で他の構成による実施が可能である。
【図面の簡単な説明】
【図１】本考案に係る防液槽の斜視図であり、屋根体を外した状態を示す。
【図２】図１の（２）―（２）線断面図であり、屋根体を装着した状態を示す。
【図３】要部拡大斜視図で、屋根体を装着した状態を示す。
【図４】防液槽の運搬または収納時の閉状態の平面図。
【符号の説明】
Ａ：防液槽
Ａ１：屋根体
Ａ２：支柱
Ｂ：発電機（各種機器の一例）
１：槽体
１１：側壁
１２：開口部
２：蓋体
２’：蓋体（透明）
２１：先端縁部
２２：側端縁部
３：パッキング
４：ヒンジ
【図１】
0003096858.tif 000003
【図２】
0003096858.tif 000004
【図３】
0003096858.tif 000005
【図４】
0003096858.tif 000006